(57)【要約】      （修正有）【課題】簡単な構造で多様な振動マッサージが可能なマッサージ機構を提供する。【解決手段】ケーシング、駆動装置、第一マッサージアセンブリー２１、第二マッサージアセンブリー２２を備え、駆動装置はモーター３と、第一回転ホイール５１と第一回転ホイールに固定的に設置された第一偏心軸５１２とを含む第一もみギアアセンブリーと、第二回転ホイール５２と周方向に沿って第二回転ホイールにスライド連結されている第二偏心軸５２２とを含む第二もみギアアセンブリーを備え、その内、第一マッサージアセンブリーは振動可能に第一偏心軸に、第二マッサージアセンブリーは振動可能に第二偏心軸に連結される。また、一つのもみギアアセンブリーの偏心軸はスライド可能な構造にされ、二つのマッサージアセンブリーマッサージヘッドは同方向振動と一定の角度で振動する二つの運動方式を実現でき、各マッサージアセンブリーのマッサージフォアアームとマッサージリヤアームは一定の角度をなす。【選択図】図１
0003187108.tif 000002
【実用新案登録請求の範囲】
【請求項１】
ケーシング、駆動装置、第一マッサージアセンブリー、第二マッサージアセンブリーを備えた振動マッサージ用のマッサージ機構であって、
前記駆動装置は、
前記ケーシング内に収納されたモーターと、
前記モーターにより駆動される第一回転ホイールと当該第一回転ホイールに固定的に設置された第一偏心軸とを含む第一もみギアアセンブリーと、
前記モーターにより駆動される第二回転ホイールと周方向に沿って当該第二回転ホイールにスライド連結されている第二偏心軸とを含む第二もみギアアセンブリーとを備え、
第一マッサージアセンブリーは振動可能に前記第一偏心軸に連結され、前記第二マッサージアセンブリーは振動可能に前記第二偏心軸に連結されていることを特徴としている、
振動マッサージ用のマッサージ機構。
【請求項２】
前記第二回転ホイールの端面には周方向に沿って配置された弧形溝が設けられ、
前記第二偏心軸の底部には、前記弧形溝を貫通し且つ当該弧形溝に沿ってスライド可能な凸軸が設けられている、
ことを特徴とする、請求項1に記載の振動マッサージ用のマッサージ機構。
【請求項３】
前記モーターの出力端にはウォームが設けられ、前記駆動装置は前記ウォームと噛みあう一対のウォームホイールを備え、前記第一回転ホイールと第二回転ホイールはぞれぞれ一つの前記ウォームホイールと噛み合う、
ことを特徴とする請求項1に記載の振動マッサージ用のマッサージ機構。
【請求項４】
一対の前記ウォームホイールは、ぞれぞれ前記ウォームの両側に設置された第一ウォームギアと第二ウォームギアとを備え、
前記第一ウォームギアは前記第一回転ホイールと噛み合い、前記第二ウォームギアは前記第二回転ホイールと噛み合う、
ことを特徴とする請求項3に記載の振動マッサージ用のマッサージ機構。
【請求項５】
前記第一マッサージアセンブリーの底部には第一振動部品が設けられ、
当該第一振動部品と第一マッサージアセンブリーとの間は横方向に貫通された第一連結軸を通じて回転可能に連結され、
前記第一振動部品には軸方向に沿って設けられた第一固定孔と長手方向に沿って設けられた第一ガイド溝を有し、
前記第一偏心軸は前記第一固定孔を貫通して固定され、
前記第一振動部品と前記ケーシングとの間はスライド可能に前記第一スライド溝内に貫通された第一締め付け部品を通じて連結されている、
ことを特徴とする請求項1に記載の振動マッサージ用のマッサージ機構。
【請求項６】
前記第二マッサージアセンブリーの底部には第二振動部品が設けられ、
当該第二振動部品と第二マッサージアセンブリーとの間には横方向に貫通された第二連結軸を通じて回転可能に連結され、
前記第二振動部品には軸方向に沿って設けられた第二固定孔と長手方向に沿って設けられた第二ガイド溝を有し、
前記第二偏心軸は前記第二固定孔を貫通して固定され、
前記第二振動部品と前記ケーシングとの間はスライド可能に前記第二スライド溝内に貫通された第一締め付け部品を通じて連結されている、
ことを特徴とする請求項1に記載の振動マッサージ用のマッサージ機構。
【請求項７】
前記第一マッサージアセンブリーおよび第二マッサージアセンブリーは、それぞれマッサージフォアアームとマッサージリヤアームを備え、
前記マッサージフォアアームには、頸部と密着してマッサージを行うことができる頸部マッサージヘッドが設けられ、
各前記マッサージリヤアームには、肩部と密着してマッサージを行うことができる肩部マッサージヘッドが設けられている、
ことを特徴とする請求項1から6の何れかに記載の振動マッサージ用のマッサージ機構。
【考案の詳細な説明】
【技術分野】
【０００１】
本考案は振動マッサージを実現可能なマッサージ機構に関する。
【背景技術】
【０００２】
マッサージピロー（バッククッション）は携帯性が良く、安価で品がよいため、次第に人々が日常的にマッサージを行う際の主力製品となっている。従来のマッサージピロー（バッククッション）は一体的に設計され、頸部と肩部のマッサージ位置を柔軟に調節することができず、頸部と肩部位置に対するマッサージ効果は理想的ではない。使用者の異なる身長に基づき、マッサージ位置に対し適切な調節を行えるようにするため、例えば登録番号がZL201120029130.Xの中国実用新案≪伸縮式マッサージバッククッション≫には、下記のような解決案が開示されている。バッククッションとバッククッションに固定された第一マッサージヘッドを備えた伸縮式マッサージバッククッションであって、ネックパッドは伸縮ホルダーを通じてバッククッションの頂部に位置決められ、当該ネックパッドには第二マッサージヘッドが内設されていることを特徴としている。当該特許はマッサージバッククッションをバッククッションとネックパッドに分け、且つ伸縮ホルダーを介してネックパッドをバッククッションの頂部に位置決めし、使用する際には駆動機構と位置決め機構を伸縮させることによりマッサージ位置の調節を実現することで、異なる使用者のマッサージ要求を満たさせる。
【０００３】
上記のマッサージバッククッションは、構造が複雑で、且つ体積も大きく、マッサージする過程で一つの運動方式しかなく、マッサージ方式が単一である。バッククッションとネックパッドとの間の距離は調節可能であるが、バッククッションとネックパッドとが基本的に同一の平面内にあるため、背中部マッサージ用の第一マッサージヘッドと頸部マッサージ用の第二マッサージヘッドは一定の角度を形成することができず、マッサージヘッドと人体の背中部又は頸部とより良く密着できず、マッサージの快適さが足りず、より良いマッサージ効果に達することができない。
【考案の概要】
【考案が解決しようとする課題】
【０００４】
本考案が解決しようとする技術問題は、上記の従来技術の問題点に対し、構造がよりコンパクト且つ合理的で、マッサージ方式が多様な振動マッサージを実現可能なマッサージ機構を提供することにある。
【課題を解決するための手段】
【０００５】
上述した技術問題を解決するための本考案の技術方案は、ケーシング、駆動装置、第一マッサージアセンブリー、第二マッサージアセンブリーを備えた振動マッサージ用のマッサージ機構であって、前記駆動装置は前記ケーシング内に収納されたモーターと、前記モーターにより駆動される第一回転ホイールと当該第一回転ホイールに固定的に設置された第一偏心軸とを含む第一もみギアアセンブリーと、前記モーターにより駆動される第二回転ホイールと周方向に沿って当該第二回転ホイールにスライド連結されている第二偏心軸とを含む第二もみギアアセンブリーを備え、その内、第一マッサージアセンブリーは振動可能に第一偏心軸に連結され、前記第二マッサージアセンブリーは振動可能に第二偏心軸に連結されていることを特徴としている。
【０００６】
好ましくは、前記第二回転ホイールの端面には周方向に沿って配置された弧形溝が設けられ、前記第二偏心軸の底部には前記弧形溝に貫通可能であると同時に、当該弧形溝に沿ってスライド可能な凸軸が設けられている。
【０００７】
好ましくは、前記モーターの出力端にはウォームが設けられ、それに応じて前記駆動装置はさらに前記ウォームとマッチング可能なウォームホイールを備え、前記第一回転ホイールと第二回転ホイールはぞれぞれ前記ウォームホイールに噛み合う。
【０００８】
さらに好ましくは、前記ウォームホイールはぞれぞれ前記ウォームの両側に設置された第一ウォームギアと第二ウォームギアを備え、前記第一ウォームギアは前記第一回転ホイールと噛み合い、前記第二ウォームギアは前記第二回転ホイールと噛み合う。
【０００９】
マッサージアセンブリーの平面内での回転振動を実現すると同時に、回転過程での干渉を避けるために、好ましくは、前記第一マッサージアセンブリーの底部には第一振動部品が設けられ、当該第一振動部品と第一マッサージアセンブリーの間は横方向に貫通された第一連結軸を通じて回転可能に連結され、前記第一振動部品には軸方向に沿って設けられた第一固定孔と長手方向に沿って設けられた第一ガイド溝を有し、前記第一偏心軸は前記第一固定孔に貫通・固定され、前記第一振動部品と前記ケーシングの間はスライド可能に前記第一スライド溝内に貫通された第一締め付け部品を通じて連結されている。
【００１０】
同様に、好ましくは前記第二マッサージアセンブリーの底部には第二振動部品が設けられ、当該第二振動部品と第二マッサージアセンブリーの間には横方向に貫通された第二連結軸を通じて回転可能に連結され、前記第二振動部品には軸方向に沿って設けられた第二固定孔と長手方向に沿って設けられた第二ガイド溝を有し、前記第二偏心軸は前記第二固定孔に貫通・固定され、前記第二振動部品と前記ケーシングの間はスライド可能に前記第二スライド溝内に貫通された第一締め付け部品を通じて連結されている。第一振動部品と第二振動部品はマッサージアセンブリーと駆動装置を連結する作用を果たすだけではなく、マッサージアセンブリーがもみギアアセンブリーの偏心軸とともに回転する同時に、振動を実現できることを保証し、マッサージの快適度を向上する。
【００１１】
マッサージの快適度をさらに向上するために、好ましくは、前記第一マッサージアセンブリーと第二マッサージアセンブリーはそれぞれマッサージフォアアームとマッサージリヤアームを備え、各前記マッサージフォアアームには頸部と密着してマッサージを行うことができる頸部マッサージヘッドが設けられ、各前記マッサージリヤアームには肩部と密着してマッサージを行うことができる肩部マッサージヘッドが設けられている。
【考案の効果】
【００１２】
従来技術に比べ、本考案の利点は下記のとおりである。モーター、もみギアアセンブリー等からなる駆動装置によりマッサージアセンブリーの運動を実現し、且つ、その中の一つのもみギアアセンブリーの偏心軸をスライド可能な構造に設定することにより、二つのマッサージアセンブリーのマッサージアームが同方向の振動と一定の角度を成す振動といった二つの運動方式を実現できるようにする。よって、マッサージの形式がより多様で、異なる消費者の要求により良く適応することができる。さらに、各マッサージアセンブリーは一定に角度に設計されたマッサージフォアアームとマッサージリヤアームからなるため、異なる部位をマッサージする時に、マッサージヘッドが頸部と肩部により密着でき、力がより均一で、より快適で理想的なマッサージ効果を達成することができる。
【図面の簡単な説明】
【００１３】
【図１】本考案の実施例に係る立体分解図である。
【図２】本考案の実施例に係る第一もみギアアセンブリーの構造概略図である。
【図３】本考案の実施例に係る第二もみギアアセンブリーの構造概略図である。
【図４】本考案の実施例に係る第一振動部品の構造概略図である。
【図５】本考案の実施例に係る第一マッサージアセンブリーの立体分解図である。
【図６】本考案の実施例に係る二つのもみギアアセンブリーの組立概略図である（モーターが正回転の状態）。
【図７】モーターが正回転の際、本考案の実施例に係るマッサージ機構の一つの作業状態図である。
【図８】モーターが正回転の際、本考案の実施例に係るマッサージ機構のもう一つの作業状態図である。
【図９】本考案の実施例に係る二つのもみギアアセンブリーの組立概略図である（モーターが逆回転の状態）。
【図１０】モーターが逆回転の際、本考案の実施例に係るマッサージ機構の一つの作業状態図である。
【図１１】モーターが逆回転の際、本考案の実施例に係るマッサージ機構のもう一つの作業状態図である。
【考案を実施するための形態】
【００１４】
以下、図面と具体的な実施例に合わせて、本考案を詳しく説明する。
【００１５】
図1〜図5に示されているように、本実施例は振動マッサージを実現可能なマッサージ機構であって、当該マッサージ機構はケーシング、駆動装置、第一マッサージアセンブリー21と第二マッサージアセンブリー22を備え、そのうち、ケーシングは底座11と上蓋12からなり、駆動装置は底座11内に収納され、第一マッサージアセンブリー21と第二マッサージアセンブリー22はそれぞれマッサージフォアアーム2aとマッサージリヤアーム2bを有し、それに、マッサージフォアアーム2aとマッサージリヤアーム2bは一定の角度を成し、各マッサージフォアアーム2aには頸部と密着してマッサージ可能な頸部マッサージヘッド2a1が設けられ、各マッサージリヤアーム2bには肩部と密着してマッサージ可能な肩部マッサージヘッド2b1が設けられている。
【００１６】
本実施例の駆動装置はモーター3、第一もみギアアセンブリー、第二もみギアアセンブリーとウォームギアアセンブリーを備え、その内、モーター3はケーシングの底座11内に収納され、モーター3の出力端にはウォーム31が設けられ、ウォームギアアセンブリーはぞれぞれウォーム31の両側に設置され、且つ当該ウォームと噛み合う第一ウォームギア41と第二ウォームギア42を含む。
【００１７】
第一もみギアアセンブリーは第一回転ホイール51と第一固定座511を備え、第一固定座511には第一偏心軸512があり、第一マッサージアセンブリー21は振動可能に第一偏心軸512に連結され、第一回転ホイール51は第一ウォームギア41と噛み合い、第一回転ホイール51、第一固定座511と第一偏心軸512は一体的に成形される。
【００１８】
第二もみギアアセンブリーは第二回転ホイール52と第二固定座521を備え、第二固定座521には第二偏心軸522があり、第二マッサージアセンブリー22も振動可能に第二偏心軸522に連結され、第二回転ホイール52は第二ウォームギア42と噛み合い、第二回転ホイール52の上端面には周方向に沿って配置された弧形溝523が設けられ、当該弧形溝523の両端面の間は180°になるように配置され（90°又は他の角度になってもよいが、実際の需要に基づき、弧形溝の長さを調節することができる）第二固定座521の底部には弧形溝523に貫通可能であると同時に、当該弧形溝523に沿ってスライド可能な凸軸524が設けられている。
【００１９】
本実施例における第一マッサージアセンブリー21の底部にはさらに第一振動部品6が設置され、第一マッサージアセンブリー21の底部には第一通孔211が開設され、第一振動部品6には横方向に貫通する第二通孔61が開設され、当該第一振動部品6と第一マッサージアセンブリー21の間は横方向に第一通孔211と第二通孔61内に貫通された第一連結軸62を通じて回転連結を実現可能である。
【００２０】
第一振動部品6にはさらに軸方向に沿って開設された第一固定孔63と長手方向に沿って開設された第一スライド溝64を有し、第一もみギアアセンブリーの第一偏心軸512は第一固定孔63に固定的に貫通され、ケーシングの上蓋12には第一位置決め孔121が開設され、第一振動部品とケーシングの上蓋の間には第一締め付け部品65を介して（ボルト、ネジ等の連結部品であっても良い）連結され、その内、第一締め付け部品65は第一スライド溝64内に貫通され、且つ往復スライド可能で、第一締め付け部品65は同時に第一位置決め孔121内に貫通され、且つ上蓋12との固定的連結を実現できるため、第一振動部品6は第一締め付け部品65を中心に振動することができる。
【００２１】
同様に、第二マッサージアセンブリー22の底部には第二振動部品7が設置され、第二振動部品7の構造は第一振動部品6の構造と同様で、第二振動部品7と第二マッサージアセンブリー22及びケーシングの間の連結方式も第一振動部品6と同様であるため、ここで説明を省略する。
【００２２】
本実施例の第一マッサージアセンブリー21と第二マッサージアセンブリー22は駆動軸装置と振動部品の回転により回転振動運動を実現することができ、マッサージ方式を豊富にすることで、異なる使用者の需要を満たさせるため、本実施例の第一もみギアアセンブリーにおける第一偏心軸512と第一回転ホイール51は一体化構造を採用するが、第二もみギアアセンブリーにおける第二偏心軸522と第二回転ホイール52は分離型構造を採用し、機構を組立てる時、第一偏心軸512と第二偏心軸522の初期位置を設置することができ、よって第一回転ホイール51に対する第一偏心軸512の位置と第二回転ホイール52に対する第二偏心軸522の位置が同様又は異なるようにする。
【００２３】
図6に示されているように、設定された初期状態下、第一偏心軸512と第二偏心軸522はもっとも近い位置にあり、弧形溝523は図6に示される第二回転ホイール52の上半部分に位置し、第二偏心軸522は弧形溝523における一側端面に当接する。モーター3を駆動して第一回転ホイール51と第二回転ホイール52が同時に時計回り方向に回転するようにすれば、第一マッサージアセンブリー21と第二マッサージアセンブリー22は図7と図8に示される方式に従ってもみ振動マッサージを行う。
【００２４】
モーター3が逆時計回り方向に回転する時、第一回転ホイール51と第二回転ホイール52も同時に逆時計回り方向に回転し、図9に示されているように、モーター3が逆時計回り方向に回転したばかりの時、第一回転ホイール51は第一偏心軸512を駆動して回転し、第二偏心軸522は静止状態にあり、第二回転ホイール52が一つの弧形溝523の距離を回転した時、第二偏心軸522は再び弧形溝523のもう一側の端面に当接し、第二回転ホイール52が引き続き回転するのに従って、再び第二偏心軸522を駆動して回転し、第二偏心軸522が回転し始めた時、第一偏心軸512と第二偏心軸522はちょうど完全に同じ位置にあり、それにより、第一マッサージアセンブリー21と第二マッサージアセンブリー22は図10と図11に示されたような方式に従ってもみ振動マッサージを行うことができる。
【００２５】
本実施例は第二偏心軸522と第二回転ホイール52の間の分離型構造により、二つのマッサージアセンブリーの同方向振動又は一定の角度で振動する二つのマッサージ方式を実現し、マッサージ方式がより柔軟且つ多様になり、異なる消費者の需要により良く対応することができる。それに、各マッサージアセンブリーのマッサージフォアアーム2aとマッサージリヤアーム2bの間は一定の角度をなすように設計され、マッサージヘッドが頸部と肩部により良く密着することができ、力加減がより均一で、よってより快適で理想的なマッサージ効果を有する。
【図１】
0003187108.tif 000003
【図２】
0003187108.tif 000004
【図３】
0003187108.tif 000005
【図４】
0003187108.tif 000006
【図５】
0003187108.tif 000007
【図６】
0003187108.tif 000008
【図７】
0003187108.tif 000009
【図８】
0003187108.tif 000010
【図９】
0003187108.tif 000011
【図１０】
0003187108.tif 000012
【図１１】
0003187108.tif 000013